(57)【特許請求の範囲】
【請求項１】
１つの試料ガス導入源から導入される試料ガスを直接大気圧イオン化質量分析計に導入する第１分析系統と、前記試料ガスをガスクロマトグラフを介して大気圧イオン化質量分析計に導入する第２分析系統と、前記第１分析系統に設けられて、前記試料ガスを大気圧イオン化質量分析計に導入する第１分析弁及び排気する第１パージ弁と、前記第２分析系統のガスクロマトグラフの出口側に設けられて、ガスクロマトグラフを経た試料ガスを大気圧イオン化質量分析計に導入する第２分析弁及び排気する第２パージ弁とを備え、第１分析弁と第２分析弁との二次側同士を合流して大気圧イオン化質量分析計に接続するとともに、第１パージ弁と第２パージ弁との二次側同士を合流して共通のパージ流路に接続した四方弁からなる集積バルブを構成し、第１分析弁が開のとき、第１パージ弁及び第２分析弁は閉で、第２パージ弁が開となるように切換えられるとともに、第２分析弁が開のとき、第２パージ弁及び第１分析弁は閉で、第１パージ弁が開となるように切換えられるものであることを特徴とするガス中の微量不純物の分析装置。
【発明の詳細な説明】
【０００１】
【発明の属する技術分野】
本発明は、ガス中の微量不純物の分析装置に関し、詳しくは、各種高純度ガス中のｐｐｂ〜サブｐｐｂレベルの微量不純物を効率よく測定するためのガス中の微量不純物の分析装置に関する。
【０００２】
【従来の技術】
従来、半導体製造工程に用いられる高純度ガス中に存在するｐｐｂレベルの各種不純物を分析する際には、光イオン化検出器付きのガスクロマトグラフや、ガスクロマトグラフ質量分析計、長光路ガスセルを設けたフーリエ変換型赤外分光分析計等が用いられていた。また、単機能の分析計としては、黄燐発光式の微量酸素計や、アルゴン中の窒素を分析するための発光分析計、各種微量水分計等が使われている。
【０００３】
最近では、大気圧イオン化質量分析装置（Ａｔｍｏｓｐｈｅｒｉｃ  Ｐｒｅｓｓｕｒｅ  Ｉｏｎｉｚａｔｉｏｎ  Ｍａｓｓ  Ｓｐｅｃｔｒｏｍｅｔｅｒ；ＡＰＩＭＳ）という高感度ガス分析装置が用いられている。この分析装置は、高純度ガス中の不純物濃度がｐｐｂ（１０億分の１）からｐｐｔ（１兆分の１）レベルを測定できる分析計として、高純度ガス中の不純物分析には欠かせない評価分析装置であり、現在では、この大気圧イオン化質量分析計を使って、窒素，アルゴン，水素，ヘリウム中の不純物分析がｐｐｂ〜サブｐｐｂのレベルで行われている。
【０００４】
【発明が解決しようとする課題】
しかし、高純度ガス及び不純物の種類によっては、大気圧イオン化質量分析計では、原理上、測定困難なものもある。例えば、窒素中の水素，一酸化炭素といった不純物や、酸素中のほとんどの不純物に関しては、原理上、高感度な測定が困難である。窒素中の水素分析を大気圧イオン化質量分析計で行う場合、共存不純物として水分，メタンが含まれている試料ガスについては，水素を検出する質量数２９（Ｎ２Ｈ）に、水分，メタンのプロトン（Ｈ）が重なって検知されるため、精確な分析が困難である。
【０００５】
また、一酸化炭素の測定は、Ｃ（炭素）原子の質量数１２を検知することにより行われるが、一酸化炭素と同様に、炭素原子を持つメタン（ＣＨ４）や二酸化炭素（ＣＯ２）等が多く共存すると、これらに起因する炭素と前者の炭素とを区別することができないため、これらの共存不純物は、実際に窒素中の一酸化炭素を測定する場合、極力少ないことが測定の条件となっていた。しかし、実際の窒素ガスでは、上述のような不純物が共存しており、そのレベルもまちまちであることから、窒素中の不純物分析においては、大気圧イオン化質量分析計以外に、水素，一酸化炭素を精確に測定できる別の分析装置が必要であった。
【０００６】
さらに、基本的な問題として、主成分ガスのイオン化ポテンシャルが不純物のそれより大きいことが大気圧イオン化質量分析計の測定では必要であるが、高純度酸素ガス中の不純物を分析する場合、主成分ガスである酸素のイオン化ポテンシャル（１２．６ｅＶ）が小さいため、測定可能な不純物は、酸素よりイオン化ポテンシャルの小さい成分に限定されてしまい、イオン化ポテンシャルの大きい窒素，一酸化炭素，二酸化炭素，メタン等を検出することができないという原理上の欠点があった。
【０００７】
したがって、これらの不純物を測定する際には、各種充填剤を充填した分離カラムを使用して酸素ガスと不純物とを分離する手段と、不純物を検出する手段（光イオン化検出器や質量分析計等）とを結合させた分析装置、すなわち、光イオン化検出器付きガスクロマトグラフや、ガスクロマトグラフ質量分析計（ＧＣＭＳ）で対応しているのが現状である。
【０００８】
さらに、図４に示すように、高感度な分析を目指してガスクロマトグラフＧの検出器に前述の大気圧イオン化質量分析計Ａを用いたガスクロマトグラフ大気圧イオン化質量分析計も考案されているが、実用面での利用例は非常に少ない。また、酸素中の水分については、ガスクロマトグラフＧではｐｐｂレベルでの分離が困難なため、一般には、ガスクロマトグラフＧとは別に高感度水分計Ｗを切換弁Ｖを介して接続し、水分は別に測定するようにしている。一方、クラスター反応を利用して大気圧イオン化質量分析計により酸素中の水分を分析する方法も提案されているが、水分，炭化水素（エタン，プロパン等）以外の不純物への適応は困難であった。
【０００９】
このように、高純度ガス中の不純物分析には、様々な形で大気圧イオン化質量分析計が関わっているが、大気圧イオン化質量分析計単独で測定を行う場合と、ガスクロマトグラフを前段に設けて測定を行う場合で、装置への試料ガスの導入条件が違うため、前者の測定に引き続いて後者の測定を行う場合は、装置を停止させ、試料導入口をガスクロマトグラフ用に取替えた後に装置を立上げ、安定した状態になってから測定するため、かなりの手間と時間とを要していた。
【００１０】
さらに、前述したように、大気圧イオン化質量分析計だけでは、各種ガス中の不純物を全て高感度（ｐｐｂ〜サブｐｐｂ）で測定できないことを考慮すると、複数の分析手段を用いなければならず、各分析装置の調整が煩雑で、分析に多くの時間を費やすなどの不都合があった。
【００１１】
そこで本発明は、各種高純度ガス中のｐｐｂ〜サブｐｐｂレベルの微量不純物の測定に有効な大気圧イオン化質量分析計とガスクロマトグラフとを一体的に結合させることにより、各種高純度ガス中の各種微量不純物を効率よく測定することができるガス中の微量不純物の分析装置を提供することを目的としている。
【００１２】
【課題を解決するための手段】
上記目的を達成するため、本発明のガス中の微量不純物の分析装置は、１つの試料ガス導入源から導入される試料ガスを直接大気圧イオン化質量分析計に導入する第１分析系統と、前記試料ガスをガスクロマトグラフを介して大気圧イオン化質量分析計に導入する第２分析系統と、前記第１分析系統に設けられて、前記試料ガスを大気圧イオン化質量分析計に導入する第１分析弁及び排気する第１パージ弁と、前記第２分析系統のガスクロマトグラフの出口側に設けられて、ガスクロマトグラフを経た試料ガスを大気圧イオン化質量分析計に導入する第２分析弁及び排気する第２パージ弁とを備え、第１分析弁と第２分析弁との二次側同士を合流して大気圧イオン化質量分析計に接続するとともに、第１パージ弁と第２パージ弁との二次側同士を合流して共通のパージ流路に接続した四方弁からなる集積バルブを構成し、第１分析弁が開のとき、第１パージ弁及び第２分析弁は閉で、第２パージ弁が開となるように切換えられるとともに、第２分析弁が開のとき、第２パージ弁及び第１分析弁は閉で、第１パージ弁が開となるように切換えられるものであることを特徴としている。
【００１４】
【発明の実施の形態】
図１は、本発明の分析装置に関連する一参考例を示す系統図である。この分析装置は、水素Ｈ２，アルゴンＡｒ，窒素Ｎ２，酸素Ｏ２，ヘリウムＨｅの５種類の高純度ガス中の微量不純物を分析するためのものであって、試料ガスとなる各高純度ガスの導入経路１，２，３，４，５と、各高純度ガスを大気圧イオン化質量分析計６に直接導入するための第１分析系統７と、各高純度ガスをガスクロマトグラフ８を介して前記大気圧イオン化質量分析計６に導入するための第２分析系統９とを備えている。
【００１５】
前記導入経路１，２，３，４，５には、圧力調節弁１ａ，２ａ，３ａ，４ａ，５ａと、導入弁１ｂ，２ｂ，３ｂ，４ｂ，５ｂ及びパージ弁１ｃ，２ｃ，３ｃ，４ｃ，５ｃを組合わせた導入切換弁１ｄ，２ｄ，３ｄ，４ｄ，５ｄとが設けられており、導入弁１ｂ，２ｂ，３ｂ，４ｂ，５ｂの二次側は、前記第１分析系統７を構成する第１分析経路１０にそれぞれ並列に接続している。
【００１６】
上記第１分析経路１０には、第１分析弁１１ａ及び第１パージ弁１１ｂからなる第１分析切換弁１１が設けられ、第１分析弁１１ａの二次側が前記大気圧イオン化質量分析計６の入口部流路６ａに接続している。さらに、大気圧イオン化質量分析計６の出口部流路６ｂには、流量計（マスフローメーター）１２が設けられている。
【００１７】
また、窒素及び酸素の導入経路３，４に設けられたパージ弁３ｃ，４ｃには、流路切換弁１３に接続する第２分析経路１４ａ，１４ｂがそれぞれ接続しており、両経路１４ａ，１４ｂは、前記流路切換弁１３によって前記ガスクロマトグラフ８の入口部流路８ａとパージ流路１３ａとに切換えられる。一方、ガスクロマトグラフ８の出口部流路８ｂには、第２分析弁１５ａ及び第２パージ弁１５ｂからなる第２分析切換弁１５が設けられ、第２分析弁１５ａの二次側が、前記第１分析経路１０の第１分析弁１１ａと大気圧イオン化質量分析計６の入口部流路６ａとの間に接続している。
【００１８】
すなわち、第２分析系統９は、第２分析経路１４ａ，１４ｂから流路切換弁１３，入口部流路８ａ，ガスクロマトグラフ８，出口部流路８ｂ及び第２分析切換弁１５を経て前記大気圧イオン化質量分析計６の入口部流路６ａに接続する経路により形成されている。そして、前記第１分析切換弁１１と第２分析切換弁１５とにより、試料ガスを大気圧イオン化質量分析計６に直接導入する第１分析系統７と、ガスクロマトグラフ８を介して大気圧イオン化質量分析計６に導入する第２分析系統９とを切換える流路切換手段が形成されている。
【００１９】
さらに、前記第１分析経路１０には、試料ガス切換時に経路内のパージを行うための排気弁１６ａを有する排気経路１６が接続され、ガスクロマトグラフ８には、ガス容器１７ａ内のガスを圧力制御弁１７ｂ及び精製器１７ｃを介して導入するキャリアガス導入経路１７が接続されるとともに、キャリアガス導入経路１７からガスクロマトグラフ８をバイパスして出口部流路８ｂに接続するメークアップガス経路１８が設けられている。
【００２０】
各高純度ガスを大気圧イオン化質量分析計６で分析する場合は、測定対象となる試料ガスの導入経路に設けられた導入弁を開いてパージ弁を閉じるとともに、その他の導入経路の導入弁を閉じる。これにより、測定対象試料ガスが第１分析系統７の第１分析経路１０に流れる状態となる。なお、その他の導入経路においては、配管等の脱ガスによる汚染を極力防ぐため、パージ弁を開いて常時ガスを流しておくことが好ましい。
【００２１】
例えば、水素の分析を行う場合は、導入経路１の導入弁１ｂを開いてパージ弁１ｃを閉じ、他の導入弁２ｂ，３ｂ，４ｂ，５ｂを閉じておく。また、第１分析切換弁１１の第１分析弁１１ａを開いて第１パージ弁１１ｂを閉じ、第２分析切換弁１５の第２分析弁１５ａは閉じておく。これにより、圧力調節弁１ａで所定圧力に調節されて導入経路１から導入される水素が、導入弁１ｂ，第１分析経路１０，第１分析切換弁１１の第１分析弁１１ａを経て入口部流路６ａから大気圧イオン化質量分析計６の測定部に流入し、所定の分析が行われて出口部流路６ｂからマスフローメーター１２を経て排出される状態となる。
【００２２】
水素の分析後に他のガス、例えばアルゴンを分析する場合は、水素の導入弁１ｂを閉じてアルゴンの導入弁２ｂを開き、パージ弁１ｃ，２ｃの開閉も切換えればよい。このように、導入弁１ｂ，２ｂ，３ｂ，４ｂ，５ｂ及びパージ弁１ｃ，２ｃ，３ｃ，４ｃ，５ｃを順次切換え開閉することにより、大気圧イオン化質量分析計６での高純度ガスの分析を連続的に行うことができる。なお、パージ弁３ｃ，４ｃから第２分析経路１４ａ，１４ｂに流れた窒素及び酸素は、いずれか一方が流路切換弁１３からパージ流路１３ａに排出され、他方がガスクロマトグラフ８に設けられている排気経路８ｃから排出される。
【００２３】
一方、ガスクロマトグラフ８を介して分析を行う場合、例えば、高純度酸素ガスの分析においては、上述のように大気圧イオン化質量分析計６で水分のみを分析した後、ガスクロマトグラフ８を介して他の不純物の分析を行う必要がある。このような場合は、大気圧イオン化質量分析計６での各高純度ガスの所定の分析が終了した後、分析系統を第１分析系統７から第２分析系統９に切換えて分析を行う。
【００２４】
すなわち、第１分析切換弁１１と第２分析切換弁１５とにおける弁の開閉状態を切換え、第２分析系統９からのガスクロマトグラフ８を経たガスが第２分析弁１５ａを通って大気圧イオン化質量分析計６に流れるようにするとともに、流路切換弁１３の流路を酸素側とし、第２分析経路１４ｂの酸素が、入口部流路８ａを介してガスクロマトグラフ８に流れるようにする。
【００２５】
これにより、酸素中の不純物がガスクロマトグラフ８により分離された後、キャリアガスに同伴された状態で出口部流路８ｂから第２分析弁１５ａ及び入口部流路６ａを経て大気圧イオン化質量分析計６に導入され、大気圧イオン化質量分析計６で直接分析することができない水分以外の不純物が主成分である酸素と分離されて分析されることになる。また、メークアップガス経路１８からは、大気圧イオン化質量分析計６の必要ガス量に対するガスクロマトグラフ８からの流出ガス量の不足分が補充される。
【００２６】
このように、大気圧イオン化質量分析計６に、通常の直接法による試料ガス導入ライン（第１分析系統７）に加えて、ガスクロマトグラフ６を介在させた第２の試料ガス導入ライン（第２分析系統９）を別に設け、この第２分析系統９に試料ガスを流すことにより、直接法では測定困難な窒素中の水素，一酸化炭素や、酸素中の一酸化炭素，水素，メタン，二酸化炭素，窒素等を測定することができ、これら以外の各種ガス中の不純物は、直接法の第１分析系統７を用いて測定することができる。これにより、高純度ガス等において測定対象となる不純物の略全種類をｐｐｂ〜サブｐｐｂレベルで分析することが可能となる。また、弁の開閉だけの操作で切換えることができるので、短時間で容易に分析条件の切換えを行うことができる。
【００２７】
なお、ガスクロマトグラフ８に使用するキャリアガスは、主成分となる高純度ガスの種類や不純物の種類によって任意のガス、例えばヘリウム，アルゴン，窒素，水素等を使用することができるが、大気圧イオン化質量分析計６での分析を考慮すると、ヘリウムを使用することが望ましい。また、ガスクロマトグラフ８の分離カラムも、不純物の性状等に応じてゼオライト系や活性炭等の任意のものを使用することができる。
【００２８】
上述のような大気圧イオン化質量分析計６での直接分析と、ガスクロマトグラフ８を介しての分析とは、適当なシーケンス装置等を設けて各弁を切換え開閉することにより、連続的に順次繰返して行うことができ、各試料ガス中の各種不純物の自動分析が可能となる。各試料ガスの切換時間は、ガスの種類によって異なるが、通常は、１５分〜３０分程度である。
【００２９】
図２は、大気圧イオン化質量分析計６に導入する試料ガスの系統を切換えるための流路切換手段の他の形態例を示す系統図である。本形態例の流路切換手段２０は、前記図１における第１分析系統７の第１分析切換弁１１と第２分析系統９の第２分析切換弁１５とを一体型の集積化バルブとしたものであって、第１分析系統７からの第１経路２１と、第２分析系統９からの第２経路２２と、パージ経路２３と、大気圧イオン化質量分析計６に至る分析経路２４とを、４個の弁２５，２６，２７，２８で図のように四角形状に接続したものである。この４個の弁は、図１の実施例に当てはめれば、弁２５が図１の第１分析弁１１ａに、弁２８が図１の第１パージ弁１１ｂに、弁２７が図１の第２分析弁１５ａに、弁２６が図１の第２パージ弁１５ｂに相当することは容易に理解できる。
【００３０】
したがって、上記構造の流路切換手段２０において、第１分析弁２５及び第２パージ弁２６を開き、第２分析弁２７及び第１パージ弁２８を閉じることにより、第１経路２１からの試料ガスが第１分析弁２５を介して分析経路２４に流れ、第２経路２２からの試料ガスが第２パージ弁２６を介してパージ経路２３に流れる状態になる。逆に、第２分析弁２７及び第１パージ弁２８を開き、第１分析弁２５及び第２パージ弁２６を閉じることにより、第２経路２２からの試料ガスが第２分析弁２７を介して分析経路２４に流れ、第１経路２１からの試料ガスが第１パージ弁２８を介してパージ経路２３に流れる状態になる。
【００３１】
このように、分析系統の切換部を集積化バルブで形成することにより、デッドスペースを少なくすることができ、試料ガスの切換時間の短縮や分析精度の向上等が図れる。
【００３２】
図３は、本発明の分析装置を示す一形態例を示す系統図であって、導入経路は、窒素分析用の導入経路３のみを示している。まず、大気圧イオン化質量分析計６に導入する試料ガスの流量は、該大気圧イオン化質量分析計６の仕様で決定され、通常は毎分数百ミリリットルから数リットルとなり、ガスクロマトグラフ８のキャリアガスの流量は、通常は毎分２０〜５０ミリリットルである。
【００３３】
したがって、ガスクロマトグラフ８からの流出ガスには、前記メークアップガス経路１８から相当量のメークアップガスを加える必要があるが、このメークアップガスは、測定対象である不純物を希釈してしまうため、できるだけ流量を少なくする必要がある。したがって、ガスクロマトグラフ８を介しての分析における不純物成分の感度を高めるためには、大気圧イオン化質量分析計６へ導入される試料ガス量を極力最少仕様のガス流量にすることが望ましく、例えば、毎分３００ミリリットル程度にすることが望ましい。
【００３４】
また、ガスクロマトグラフ８と大気圧イオン化質量分析計６とは、両者ともに、大気圧以上で動作することから、通常のガスクロマトグラフ質量分析計のように、特殊なインターフェースを用いて大気圧以上から真空に圧力を下げる必要がないため、ガスクロマトグラフ８と大気圧イオン化質量分析計６とを単に連結して分析する場合には、メークアップガス経路１８を付け加える以外に、なんら特別な工夫をせずに両者を連結するだけでよかった。
【００３５】
しかし、前述のように、大気圧イオン化質量分析計６に直接試料ガス導入する第１分析系統７と、ガスクロマトグラフ８を介して大気圧イオン化質量分析計６に試料ガスを導入する第２分析系統９とを切換え使用するシステムでは、両系統７，９を切換える際に圧力変動を生じることがある。このような圧力変動を生じると、大気圧イオン化質量分析計６のイオン源出口からイオン源内に空気が混入し、イオン源が汚染され、水分等の吸着成分を低減させるためにかなりの時間を要するおそれがあり、この場合には、試料ガスによるパージに非常に時間がかかる。
【００３６】
この圧力変動を確実に防止するためには、前記メークアップガス等の調節により、流路切換手段２０における入口側、すなわち、各系統７，９の両経路２１，２２の試料ガスの圧力を等しくし、かつ、試料ガスの出口側であるパージ経路２３と分析経路２４とにおける圧力を等しくする必要がある。
【００３７】
上述のような圧力の均等化は、各部の配管抵抗を合わせるように、配管の長さと配管径とを調節することによっても可能ではあるが、これを厳密に行うためには、通常は、流路切換手段２０の出入口の直近に、精密に圧力を測定する手段及びそれを調整する手段を設けるようにしている。ところが、このような手段を大気圧イオン化質量分析計６の上流側の試料ガスが通過するラインに設置することは、試料ガスの汚染を招く可能性を高めることとなり、超微量の不純物の測定を行う上においては好ましいことではない。
【００３８】
そこで、図３に示すように、導入経路部分に圧力調節手段を設けるとともに、大気圧イオン化質量分析計６の出口部流路６ｂと、パージ経路２３とに、ニードルバルブやマスフローコントローラー，調整器等の流量制御機構３１と圧力計３２とを設けることにより、試料ガスの汚染を防止しながら、分析系統切換手段２０の切換えにより発生する圧力変動を確実に防止することができる。また、このように形成することにより、試料ガスを高圧で大気圧イオン化質量分析計６に導入することが可能となるため、微量不純物の分析を、より高感度で行うことができる。
【００３９】
さらに、上記構成の分析装置は、窒素ガス中の不純物である水素や一酸化炭素の測定感度の面でも、これまで数ｐｐｂレベルであったものを、ｐｐｂ〜サブｐｐｂレベルに向上させることができる。また、不純物の校正に必要な標準ガス希釈装置も、分析装置も含めた１ユニットの中に１台あればよく、複数の分析装置を使うこれまでのものと違い、複数の校正装置を使う器差等による誤差を防ぐことができ、精確な分析ができる。
【００４０】
【実施例】
図３に示す構成の分析装置を使用して高純度窒素中の全ての不純物を測定した。すなわち、導入経路３から圧力調節弁３ａを介して所定圧力で試料ガスとなる高純度窒素を導入し、流路切換手段２０の弁を所定の順序で開閉することにより分析を行った。
【００４１】
まず、流路切換手段２０の弁２５を開いた状態とし、導入経路３からの試料ガスを第１分析経路１０から流路切換手段２０を介して直接大気圧イオン化質量分析計６に導入し、不純物である酸素，二酸化炭素，メタン及び水分を測定した。
【００４２】
次に、流路切換手段２０の弁２７を開いた状態とし、導入経路３からの試料ガスを第２分析経路１４ａからガスクロマトグラフ８に導入し、ガスクロマトグラフ８からキャリアガスに同伴されて導出したガスにメークアップガスを加えて所定流量とした後、流路切換手段２０を介して大気圧イオン化質量分析計６に導入し、不純物である水素及び一酸化炭素を測定した。なお、ガスクロマトグラフ８のキャリアガスには、精製したアルゴンガスを使用した。
【００４３】
その結果、直接分析では、酸素０．４ｐｐｂ，二酸化炭素０．６ｐｐｂ，メタン０．１ｐｐｂ，水分４．０ｐｐｂという結果が得られ、ガスクロマトグラフ８を介しての分析では、水素２．５ｐｐｂ，一酸化炭素０．８ｐｐｂという結果が得られた。
【００４４】
【発明の効果】
以上説明したように、本発明のガス中の微量不純物の分析装置によれば、試料ガスの導入経路を切換えるだけで試料ガス中の不純物を全て測定することができ、特に酸素ガス中の不純物を分析する際にも他の分析計を使う必要がなくなる。このため、複数の分析計を設置し、調整する必要がなくなり、分析に費やす時間や手間が省ける。さらに、これまで大気圧イオン化質量分析計と他の分析装置とで行っていた分析を、１ユニットの分析装置にて短時間で行うことができるとともに、ｐｐｂ〜サブｐｐｂレベルの高感度かつ高精度な測定が可能となる。また、流路切換時の圧力変動等を抑制することにより、安定した状態で分析を行うことができる。
【図面の簡単な説明】
【図１】本発明の分析装置に関連する一参考例を示す系統図である。
【図２】流路切換手段の他の形態例を示す系統図である。
【図３】本発明の分析装置の一形態例を示す系統図である。
【図４】従来の分析装置の一例を示す系統図である。
【符号の説明】
１，２，３，４，５…導入経路、１ａ，２ａ，３ａ，４ａ，５ａ…圧力調節弁、１ｂ，２ｂ，３ｂ，４ｂ，５ｂ…導入弁、１ｃ，２ｃ，３ｃ，４ｃ，５ｃ…パージ弁、６…大気圧イオン化質量分析計、６ａ…入口部流路、６ｂ…出口部流路、７…第１分析系統、８…ガスクロマトグラフ、８ａ…入口部流路、８ｂ…出口部流路、９…第２分析系統、１０…第１分析経路、１１…第１分析切換弁、１１ａ…第１分析弁、１１ｂ…第１パージ弁、１２…マスフローメーター、１３…流路切換弁、１３ａ…パージ流路、１４ａ，１４ｂ…第２分析経路、１５…第２分析切換弁、１５ａ…第２分析弁、１５ｂ…第２パージ弁、１６…排気経路、１７…キャリアガス導入経路、１８…メークアップガス経路、２０…流路切換手段、２１…第１経路、２２…第２経路、２３…パージ経路、２４…分析経路、２５，２６，２７，２８…弁、３１…流量制御機構、３２…圧力計
【図１】
0003607997.tif 000002
【図２】
0003607997.tif 000003
【図３】
0003607997.tif 000004
【図４】
0003607997.tif 000005